(57)【要約】  所定のエリアをサービス提供エリアとする経路案内サーバが複数存在する時、端末装置（20）が要求する処理を行うのに適した経路案内サーバを選択できるようにする。端末装置（20）から処理要求を受信した経路案内サーバ（30A）は、処理要求の対象になるエリア及び該エリアをサービス提供エリアとする経路探索サーバ（30B1等）を判定し、同一エリアに複数の経路案内サーバが複数存在する時は、各経路案内サーバ（30B1等）が保有するサーバ保有データの詳細情報を取得し、サーバ保有データの充実度、情報数、更新日付新しさに応じて段階付けを表す数値を評価値とし、その合計により各経路案内サーバ（30B1等）の評価値を算出し、端末装置（20）に評価値を含むサーバ情報を送信し、端末装置（20）は、経路案内サーバ（30A）から受信したサーバ情報に基づいて複数の経路案内サーバ（30B1等）の１つを選択する。
2011016117.tif 000002
【特許請求の範囲】
【請求項１】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記コンテンツ保有データを参照して前記要求された処理を実行する経路案内システムにおいて、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択し、選択された経路案内サーバを前記経路案内サーバに通知することを特徴とする経路案内システム。
【請求項２】
前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする請求の範囲第１項に記載の経路案内システム。
【請求項３】
前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする請求の範囲第１項に記載の経路案内システム。
【請求項４】
前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする請求の範囲第１項に記載の経路案内システム。
【請求項５】
前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする請求の範囲第１項ないし第４項の何れか１項に記載の経路案内システム。
【請求項６】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記コンテンツ保有データを参照して前記要求された処理を実行する経路案内システムを構成する経路案内サーバにおいて、
前記端末装置は、前記経路案内サーバから受信した前記サーバ情報に基づいて前記サーバ選択手段により前記複数の経路案内サーバの１つを選択し、選択された経路案内サーバを前記経路案内サーバに通知する端末装置であって、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする経路案内サーバ。
【請求項７】
前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする請求の範囲第６項に記載の経路案内サーバ。
【請求項８】
前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする請求の範囲第６項に記載の経路案内サーバ。
【請求項９】
前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする請求の範囲第６項に記載の経路案内サーバ。
【請求項１０】
前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする請求の範囲第６項ないし第９項の何れか１項に記載の経路案内サーバ。
【請求項１１】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記コンテンツ保有データを参照して前記要求された処理を実行する経路案内システムにおける経路案内方法において、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択し、選択された経路案内サーバを前記経路案内サーバに通知することを特徴とする経路案内方法。
【請求項１２】
前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする請求の範囲第１１項に記載の経路案内方法。
【請求項１３】
前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする請求の範囲第１１項に記載の経路案内方法。
【請求項１４】
前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする請求の範囲第１１項に記載の経路案内方法。
【請求項１５】
前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする請求の範囲第１１項ないし第１４項の何れか１項に記載の経路案内方法。
【請求項１６】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記コンテンツ保有データを参照して前記要求された処理を実行する経路案内システムにおいて、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする経路案内システム。
【請求項１７】
前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする請求の範囲第１６項に記載の経路案内システム。
【請求項１８】
前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする請求の範囲第１６項に記載の経路案内システム。
【請求項１９】
前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする請求の範囲第１６項に記載の経路案内システム。
【請求項２０】
前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする請求の範囲第１６項ないし第１９項の何れか１項に記載の経路案内システム。
【請求項２１】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記コンテンツ保有データを参照して前記要求された処理を実行する経路案内システムにおける前記経路案内仲介サーバにおいて、
前記端末装置は前記経路案内サーバから受信したサーバ情報に基づいて前記複数の経路案内サーバの１つを選択するサーバ選択手段を備え、
前記経路案内サーバはサーバ評価手段を備え、経路案内仲介サーバから取得したサーバ情報に基づいて、前記サーバ評価手段により、各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信する経路案内サーバであって、
前記経路案内仲介サーバは、エリア判定手段と、サーバ判定手段と、サーバ情報取得手段と、を備え、前記経路案内サーバはサーバ評価手段を備え、
前記経路案内仲介サーバが前記端末装置から処理要求を受信した前記経路案内サーバから処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信することを特徴とする経路案内仲介サーバ。
【請求項２２】
前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする請求の範囲第２１項に記載の経路案内仲介サーバ。
【請求項２３】
前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする請求の範囲第２１項に記載の経路案内仲介サーバ。
【請求項２４】
前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする請求の範囲第２１項に記載の経路案内仲介サーバ。
【請求項２５】
前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする請求の範囲第２１項ないし第２４項の何れか１項に記載の経路案内仲介サーバ。
【請求項２６】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記コンテンツ保有データを参照して前記要求された処理を実行する経路案内システムにおける経路案内方法において、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする経路案内方法。
【請求項２７】
前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする請求の範囲第２６項に記載の経路案内方法。
【請求項２８】
前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする請求の範囲第２６項に記載の経路案内方法。
【請求項２９】
前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする請求の範囲第２６項に記載の経路案内方法。
【請求項３０】
前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする請求の範囲第２６項ないし第２９項の何れか１項に記載の経路案内方法。
【発明の詳細な説明】
【技術分野】
【０００１】
本発明は、所定のエリア内における経路探索や経路案内、地図情報、興味対象場所（ＰＯＩ）情報案内などの経路案内サービスを提供する経路案内システムに関するものであり、特に、国や地域ごとのエリア毎に該エリア内に経路案内サービスを提供するシステムが存在し、所定のエリア内に複数の経路案内サーバがそれぞれ異なるレベルの情報を蓄積している場合に、所望のエリアに関する経路案内サービスなどの処理を要求する端末装置が、要求に応じて適切な経路案内サーバを選択することができるようにした経路案内システム、経路案内サーバ、経路案内仲介サーバおよび経路案内方法に関するものである。
【背景技術】
【０００２】
従来から、地図データ、道路データを用いて、所望の出発地から目的地までの経路を探索して利用者を案内するナビゲーション装置、ナビゲーションシステムが知られており、このようなナビゲーション装置、ナビゲーションシステムとしては、自動車に搭載して運転者に経路を案内するカーナビゲーション装置、携帯電話をナビゲーション端末として利用して経路探索サーバに経路探索要求を送り、その結果を受信して経路案内を受ける通信型のナビゲーションシステムなどが実用化されている。【０００３】
特に、通信型のナビゲーションシステムは、携帯電話などの携帯端末をナビゲーション端末として利用したシステムであって、歩行者用のナビゲーションシステムとしても用いられるものである。歩行者用のナビゲーションシステムとしては、交通機関を含めた経路案内機能を付加することが好ましく、徒歩経路の探索と案内に加えて、経路探索サーバに交通機関の路線や運行時刻データを蓄積し、所望の出発駅から所望の目的駅までの経路（乗車候補列車）を、徒歩経路の探索と案内に加えて案内する機能を有するナビゲーションシステムも存在する。また、徒歩経路の経路探索を伴わずに情報配信サーバから交通機関の路線や時刻表、乗車可能な列車などの情報の配信を受けて表示する交通案内システムも存在する。【０００４】
一般的なナビゲーション装置、通信ナビゲーションシステムに使用される経路探索装置、経路探索方法は、例えば、下記の特許文献１（特開２００１−１６５６８１号公報）に開示されている。このナビゲーションシステムは、携帯ナビゲーション端末から出発地と目的地の情報を情報配信サーバに送り、情報配信サーバで道路網や交通網のデータから探索条件に合致した経路を探索して案内するように構成されている。探索条件としては、出発地から目的地までの移動手段、例えば、徒歩、自動車、鉄道と徒歩の併用などがあり、これを探索条件の１つとして経路探索する。【０００５】
情報配信サーバは、地図データの道路（経路）をその結節点、屈曲点の位置をノードとし、各ノードを結ぶ経路をリンクとし、全てのリンクのコスト情報（距離や所要時間）をデータベースとして備えている。そして、情報配信サーバは、データベースを参照して、出発地のノードから目的地のノードに至るリンクを順次探索し、リンクのコスト情報が最小となるノード、リンクをたどって案内経路とすることによって最短の経路を携帯ナビゲーション端末に案内することができる。このような経路探索の手法としてはラベル確定法あるいはダイクストラ法と言われる手法が用いられる。上記特許文献１には、このダイクストラ法を用いた経路探索方法も開示されている。【０００６】
交通機関を利用する経路を探索する経路探索システムは、ユーザが指定する出発日時、出発地、目的地、到着時刻等の経路探索条件に基づいて、各交通機関の運行時刻データをデータベース化した運行時刻データベースと、これに基づいて交通ネットワークをデータベース化したデータを備えている。そして、これらのデータベースを参照して、乗り継ぎ（乗換え）を含めて出発地と目的地を結ぶ、利用可能な各交通手段（個々の電車や路線バス）を経路として順次たどり、経路探索条件に合致する案内経路（出発地駅、目的地駅、路線、列車などの交通手段）の候補を１つまたは複数提示するように構成される。経路探索条件としては更に、所要時間、乗り継ぎ回数、運賃などの条件を指定できるようにされているのが一般的である。【０００７】
店舗やイベントの情報提供にあっては、ユーザが携帯端末を操作して店舗やイベントのカテゴリ、検索したい地域を入力して検索要求する。サーバは指定されたカテゴリに該当し、かつ当該地域に存在する店舗やイベントを検索し、その情報が地図表示端末に配信される。時刻表の提供においては、ユーザが携帯端末を操作して、路線を指定すると、当該路線の時刻表が携帯端末の表示装置の画面上に提示される。また、乗り換え案内においては、ユーザが、出発地や目的地を指定することにより、推奨する経路が提示される。【０００８】
更に、パーソナルコンピュータや携帯電話などの端末装置からインターネット上の地図サーバに接続し、所望の地点や、施設、店舗の住所、名称、電話番号などを入力して当該地点や施設、店舗の位置を含む所定範囲の地図データをダウンロードして表示装置に地図画像を表示することもできる。【０００９】
通信型のナビゲーションシステムにおいて地図画像表示用の地図データは、通信の際のデータ量を抑制するためビットマップデータ（ラスター地図データ）ではなく、ベクトル地図データで構成されるのが一般的である。ベクトル地図データは、メッシュ単位の地図に含まれる道路を自然地形に近い状態で表示するためのポリゴンデータと、各道路リンクをベクトルで表現した道路データとからなる。ベクトルで表現された道路データは地図画像上に案内経路や経路履歴を描画する際に用いられる。地図表示装置の現在位置は経路案内の際には探索された経路や道路データ上に描画される。現在位置は地図表示装置に設けられたＧＰＳ受信機を用いて衛星航法により算出する。【００１０】
ところで、一般的な経路案内システムが備える地図データや経路探索用のネットワークデータ、あるいは、施設、店舗、イベントなどのＰＯＩ（Ｐｏｉｎｔ  ｏｆ  Ｉｎｔｅｒｅｓｔ）データは、そのシステムが経路案内のサービスを提供する地域（サービス対象エリアということとする）のデータである。例えば、通常の経路案内システムは、ある国の国内をサービス対象とし、あるいは、ある国内において、特定の地域をサービス対象としている。【００１１】
その場合、出発地と目的地がある経路案内システムのサービス対象エリア内であれば、経路探索および経路案内に何ら支障を生じることはない。しかしながら、出発地がある国の国内であり、目的地が他の国の国内である場合には、出発地から目的地までのトータルな経路を探索して案内することはできない。なぜなら、出発地側の経路案内システムが探索して案内できる経路は出発地側の国内の範囲であり、目的地側の他の国の地図データや経路探索用のネットワークデータ、ＰＯＩデータ等を備えていないからである。【００１２】
車載用のナビゲーション装置などにおいては、車載されるナビゲーション装置には特定の地域の地図データや経路探索用のネットワークデータを記憶しておき、そのエリアから外れた地点が目的地として設定された場合には、他の地域を含む全国の地図データや経路探索用のネットワークデータを備えたサーバに経路探索を依頼する、あるいは、不足する地域の地図データや経路探索用のネットワークデータをダウンロードして、ナビゲーション装置側で経路探索を可能にする方法が採られる。【００１３】
例えば、下記の特許文献２（特開２００３−９７９６０号公報）にはそのような経路案内装置の発明が開示されている。この経路案内装置は、センターにおいて、出発地から目的地まで経路探索する際、経路途中の起点を複数候補にする。経路案内装置に起点を送信すると、経路案内装置は案内可能な起点を決定してセンターに送信する。センターは出発地からその起点までの経路探索を行い、案内装置は起点から目的地までの経路探索を行い、出発地から目的地までの最適な経路を提供するように構成されたものである。【００１４】
また、下記の特許文献３（特開２００１−４３９２号公報）には、端末装置である携帯電話から地図サーバに現在位置や目的地情報を地図検索条件として送信し、地図サーバは検索条件に応じた案内情報と地図情報を生成して携帯電話に配信し、携帯電話において、案内情報と地図情報を統合して表示装置に表示するようにした地図表示システムが開示されている。
【先行技術文献】
【特許文献】
【００１５】
【特許文献１】特開２００１−１６５６８１号公報（図１、図２）
【特許文献２】特開２００３−９７９６０号公報（図１、図２）
【特許文献３】特開２００１−４３９２号公報（図４、図６）
【発明の概要】
【発明が解決しようとする課題】
【００１６】
先に述べたように、ある経路案内システムがサービス提供のために備えている地図データや経路探索用ネットワークデータ、ＰＯＩデータを用いただけでは経路案内サービスを提供できない場合がある。上記の特許文献２に開示された経路案内装置の発明のように、他の経路案内システムと連携し、一方の経路案内システムでは経路探索できない部分を、他の経路案内システムの経路探索機能を利用して探索させ、両方の経路案内システムが探索した案内経路を結合できるようにすれば利用者のサービス要求に応えることができる。このことは、経路案内に限らず、地図情報を提供する種々の情報提供システムにおいても同様である。【００１７】
しかしながら、国によっては地図データや道路ネットワーク、交通ネットワークのデータを他の国に提供することを禁じている場合がある。このような制約は、主として国防上の理由によるものである。上記特許文献２に開示された経路案内装置においては、経路案内装置が保有する地図データは部分的なエリアの地図データであり、サーバは、ナビゲーション装置が保有している部分的なエリアの地図データを含む全国の地図データを保有していることが前提となったシステムである。【００１８】
ところで、経路探索や経路案内、地図情報、興味対象場所（ＰＯＩ）情報などの経路情報を提供する経路案内システムにおいては、地図データや道路ネットワークや交通ネットワークの情報から経路探索用ネットワークデータ、ＰＯＩデータを作成し、データベースとして保有し、また、利用者に経路を案内するために地図情報を蓄積した地図データベースを保有することが必要である。経路案内システムが国を超えてサービスを提供しようとする場合、自国だけでなく、サービスを提供しようとする他の国の地図データや道路ネットワーク、交通ネットワークのデータ、ＰＯＩデータが必要になる。従って、このような場合、上記特許文献２に開示された経路案内装置の技術を適用することができないという問題点がある。【００１９】
本願の出願人は、国や地域ごとの地図データ、経路探索用ネットワークデータを備えたそれぞれの経路案内システムの間を連携させ、出発地から国や地域をまたいだ目的地までの一連の経路案内サービスをシステムからシステムに円滑に受け渡すようにした経路案内システムを提供する目的で、既に、ＰＣＴ／ＪＰ２００８／０５８１８２号の発明についての国際特許出願を行っている。【００２０】
この、ＰＣＴ／ＪＰ２００８／０５８１８２号国際出願明細書に記載された発明は、国や地域ごとの地図データ、経路探索用ネットワークデータを備えた第１、第２の経路案内システムの間を連携させるものであり、図１２のように構成されている。図１２において、システムＡはエリアＡをサービス提供エリアとする経路案内システム、システムＢは、エリアＢをサービス提供エリアとする経路案内システムであり、それぞれのシステムＡ、システムＢは、図１２に示す経路案内システムと同様の構成を持つシステムである。【００２１】
経路探索サーバ３０Ａは、エリアＡをカバーする地図データや経路探索用ネットワークデータのみを有しており、経路探索サーバ３０Ｂは、エリアＢをカバーする地図データや経路探索用ネットワークデータのみを有している。従って、経路探索サーバ３０ＡはエリアＢ内の地点を出発地や目的地とする経路探索はできず、経路探索サーバ３０Ｂは、エリアＡ内の地点を出発地や目的地とする経路探索はできない。【００２２】
端末装置２０からの経路探索要求における出発地と目的地が異なるエリア内の地点である場合、第１の経路案内システム（A）は、異なるエリアの境界になる候補接点を抽出して第２の経路案内システム（B）に送る。出発地から候補接点までの最適経路、候補接点から目的地までの最適な候補経路を第１、第２の経路案内システムがそれぞれ探索してその所要時間、リンクのデータをそれぞれの経路案内システムに提供し、第１または第２の経路案内システムは候補接点で結合される候補経路のうち、トータルの所要時間の最も小さい推奨経路を決定し、リンクデータを含む推奨経路のデータを第１の経路案内システム（A）から端末装置に提供し、端末装置は位置するエリアに応じ、推奨経路のデータに基づいて第１または第２の経路案内システムに経路案内を要求する。【００２３】
このようなシステム構成によれば、地図データ等を保持しないサービス提供エリア以外の場所まで経路案内を行う場合において、サービス提供エリアからサービス提供エリア外の目的地エリアの属するエリアとの接点情報のみを保持しておき、接点情報のみを共有しそれぞれの経路案内情報を利用することで、サービス提供エリアの出発地からサービス提供エリア外の目的地へシームレスな経路案内を提供することが可能になる。従って、国や地域ごとの地図データ、経路探索用ネットワークデータを備えたそれぞれの経路案内システムの間を連携させ、出発地から国や地域をまたいだ目的地までの一連の経路案内サービスをシステムからシステムに円滑に受け渡すことができるようになる。【００２４】
しかしながら、図１２に示すシステムにおいては、以下の点が考慮されていなかった。すなわち、同一のエリア内に経路探索、経路案内や地図情報の提供、ＰＯＩ検索、交通路線案内などの各種の経路案内をサービスする複数のサーバが存在するシステムは考慮されていない。複数のサーバが存在する場合、各サーバが保持している各種サービスのための情報（データ）は、その詳細度、更新の頻度などが異なり、端末装置が要求するサービスに適した情報（データ）を有するサーバにサービス要求を依頼することが好ましいが、端末装置側でサーバを選択するツールが提供されていないという問題点がある。このような問題点は、端末装置が位置するエリアとは異なるエリアにサービスを提供するシステム内に複数のサーバが存在する場合も同様である。【００２５】
本願の発明者は前記の課題を解消すべく種々検討を重ねた結果、国や地域ごとのエリア毎に該エリア内に経路案内サービスを提供するシステムであって、各システム内に複数の経路案内サーバが存在し、経路案内サーバがそれぞれ異なるレベルの情報を蓄積している場合に、端末装置から所望のエリアに関する経路案内サービスなどの処理要求があった場合、要求を受信した経路案内サーバが、該当するエリア内の複数の情報案内サーバからそれぞれが保持しているデータに関する詳細情報を取得して評価し、その評価値を端末装置に提供し、端末装置において適切な経路案内サーバを選択するようになせば上記の問題点を解消し得ることに想到して本発明を完成するに至ったものである。【００２６】
すなわち、本発明は上記の問題点を解消することを課題としたものであり、国や地域ごとのエリア毎に該エリア内に経路案内サービスを提供するシステムであって、所定のエリア内に複数の経路案内サーバがそれぞれ異なるレベルの情報を蓄積している場合に、所望のエリアに関する経路案内サービスを要求する端末装置が、要求に応じて適切な経路案内サーバを選択することができるようにした経路案内システムを提供することを目的とするものである。
【課題を解決するための手段】
【００２７】
前記課題を解決するために、本願の第１発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記コンテンツ保有データを参照して前記要求された処理を実行する経路案内システムにおいて、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択し、選択された経路案内サーバを前記経路案内サーバに通知することを特徴とする。【００２８】
また、本願の第１発明の１態様は、前記第１発明において、前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする。【００２９】
また、本願の第１発明の１態様は、前記第１発明において、前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする。【００３０】
また、本願の第１発明の１態様は、前記第１発明において、前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする。【００３１】
また、本願の第１発明の１態様は、前記第１発明において、前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする。【００３２】
また、本願の第２発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記コンテンツ保有データを参照して前記要求された処理を実行する経路案内システムを構成する経路案内サーバにおいて、
前記端末装置は、前記経路案内サーバから受信した前記サーバ情報に基づいて前記サーバ選択手段により前記複数の経路案内サーバの１つを選択し、選択された経路案内サーバを前記経路案内サーバに通知する端末装置であって、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする。【００３３】
また、本願の第２発明の１態様は、前記第２発明において、前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする。【００３４】
また、本願の第２発明の１態様は、前記第２発明において、前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする。【００３５】
また、本願の第２発明の１態様は、前記第２発明において、前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする。【００３６】
また、本願の第２発明の１態様は、前記第２発明において、前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする。【００３７】
また、本願の第３発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記コンテンツ保有データを参照して前記要求された処理を実行する経路案内システムにおける経路案内方法において、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択し、選択された経路案内サーバを前記経路案内サーバに通知することを特徴とする。【００３８】
また、本願の第３発明の１態様は、前記第３発明において、前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする。【００３９】
また、本願の第３発明の１態様は、前記第３発明において、前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする。【００４０】
また、本願の第３発明の１態様は、前記第３発明において、前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする。【００４１】
また、本願の第３発明の１態様は、前記第３発明において、前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする。【００４２】
また、本願の第４発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記コンテンツ保有データを参照して前記要求された処理を実行する経路案内システムにおいて、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする。【００４３】
また、本願の第４発明の１態様は、前記第４発明において、前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする。【００４４】
また、本願の第４発明の１態様は、前記第４発明において、前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする。【００４５】
また、本願の第４発明の１態様は、前記第４発明において、前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする。【００４６】
また、本願の第４発明の１態様は、前記第４発明において、前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする。【００４７】
また、本願の第５発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記コンテンツ保有データを参照して前記要求された処理を実行する経路案内システムにおける前記経路案内仲介サーバにおいて、
前記端末装置は前記経路案内サーバから受信したサーバ情報に基づいて前記複数の経路案内サーバの１つを選択するサーバ選択手段を備え、
前記経路案内サーバはサーバ評価手段を備え、経路案内仲介サーバから取得したサーバ情報に基づいて、前記サーバ評価手段により、各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信する経路案内サーバであって、
前記経路案内仲介サーバは、エリア判定手段と、サーバ判定手段と、サーバ情報取得手段と、を備え、前記経路案内サーバはサーバ評価手段を備え、
前記経路案内仲介サーバが前記端末装置から処理要求を受信した前記経路案内サーバから処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信することを特徴とする。【００４８】
また、本願の第５発明の１態様は、前記第５発明において、前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする。【００４９】
また、本願の第５発明の１態様は、前記第５発明において、前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする。【００５０】
また、本願の第５発明の１態様は、前記第５発明において、前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする。【００５１】
また、本願の第５発明の１態様は、前記第５発明において、前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする。【００５２】
また、本願の第６発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記コンテンツ保有データを参照して前記要求された処理を実行する経路案内システムにおける経路案内方法において、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする。【００５３】
また、本願の第６発明の１態様は、前記第６発明において、前記地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、前記サーバ評価手段は、前記サーバ保有データに前記下位メッシュの地図データをより多く含む経路案内サーバの評価値を、他の経路案内サーバの評価値より高く算出することを特徴とする。【００５４】
また、本願の第６発明の１態様は、前記第６発明において、前記サーバ保有データの詳細情報は、データの更新日付け情報を含み、前記サーバ評価手段は、現在日時により近い更新日付情報を有する詳細情報を取得した経路案内サーバの評価値を、他の経路案内サーバの評価値より高く算出することを特徴とする。【００５５】
また、本願の第６発明の１態様は、前記第６発明において、前記ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出することを特徴とする。【００５６】
また、本願の第６発明の１態様は、前記第６発明において、前記端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出することを特徴とする。
【発明の効果】
【００５７】
本願の第１発明においては、端末装置から処理要求を受信した経路探索サーバが、処理要求の対象になるエリア及び該エリアをサービス提供エリアとする経路探索サーバを判定し、該当する経路探索サーバが複数ある場合には、各経路探索サーバからサーバ保有データの詳細情報を取得して各サーバの保有データを評価し、該評価結果を含むサーバ情報を端末装置に送信して、端末装置において、サーバを選択させるものであるから、評価の高いサーバを選択することにより、所望のエリアに関する経路案内サービスを要求する端末装置が、要求に応じて適切な経路案内サーバを選択することができるようになる。【００５８】
また、本願の第１発明の１態様は、前記第１発明において、サーバ評価手段は、前記サーバ保有データに前記下位メッシュの地図データをより多く含む経路案内サーバの評価値を、他の経路案内サーバの評価値より高く算出するものであるから、端末装置は、詳細な地図データを保有するサーバを選択することができるようになる。【００５９】
また、本願の第１発明の１態様は、前記第１発明において、サーバ評価手段は、現在日時により近い更新日付情報を有する詳細情報を取得した経路案内サーバの評価値を、他の経路案内サーバの評価値より高く算出するものであるから、端末装置は、更新日付けの新しいデータを保有するサーバを選択することができるようになる。【００６０】
また、本願の第１発明の１態様は、前記第１発明において、ＰＯＩデータは、ＰＯＩのカテゴリ種別と、それぞれのカテゴリ種別に属するＰＯＩ情報を含み、前記サーバ評価手段は、前記ＰＯＩのカテゴリ種別の数と各カテゴリに属するＰＯＩ情報の数の何れか一方または両方の数が多い経路探索サーバの評価値を、他の経路探索サーバの評価値より高く算出する。従って、端末装置は、ＰＯＩのカテゴリ種別の数と各カテゴリに属するＰＯＩ情報の数の何れか一方または両方の数が多いサーバを選択することができるようになる。【００６１】
また、本願の第１発明の１態様は、前記第１発明において、端末装置からの処理要求に、特定のサーバ保有データのうち重視するデータ項目が含まれる場合、前記サーバ評価手段は、当該重視するデータ項目に該当するサーバ保有データを有する経路探索サーバの評価値を、他の経路案内サーバの評価値より高く算出する。従って、端末装置は、端末装置の処理要求に適切に応じることができるサーバ保有情報を持ったサーバを選択することができるようになる。【００６２】
また、本願の第２発明においては、本願の第１発明の経路案内システムを構成する経路案内サーバを提供することができ、本願の第３発明においては、本願の第１発明における経路案内方法を提供することができるようになる。また、本願の第４発明においては、本願の第１発明の経路案内システムを、経路案内仲介サーバを用いて構成することができ、本願の第５発明においては、本願の第４発明の経路案内システムを構成する経路案内仲介サーバを提供することができ、本願の第６発明においては、本願の第４明における経路案内方法を提供することができるようになる。
【図面の簡単な説明】
【００６３】
【図１】本発明にかかる経路案内システムの構成を示すシステム構成図である。
【図２】本発明にかかる経路案内システムにおける経路探索、経路案内の概念を説明するためのシステム構成図である。
【図３】地図データの構成の概念を示す図である。
【図４】経路案内サーバが保持するデータの詳細情報の一例を示す図であり、図４Ａは地図データの詳細情報の一例を示す図、図４Ｂはデータの更新履歴の一例を示す図、図４ＣはＰＯＩデータの詳細情報の一例を示す図である。
【図５】本発明にかかる経路案内システムを構成する経路案内サーバの詳細な構成を示すブロック図である。
【図６】端末装置に表示されるサーバ選択画面の一例を示す図であり、図６Ａは、評価値の順に推奨サーバを表示した例を、図６Ｂは、サーバ名とともにその評価値の大小を示す画像を表示して推奨サーハが識別できるように表示した例を示す図である。
【図７】本発明の経路探索に使用される道路ネットワークデータを説明する概念図である。
【図８】本発明の経路探索に使用される交通ネットワークデータを説明する概念図である。
【図９】経路案内サーバ（経路探索サーバ）の動作手順を示すフローチャートである。
【図１０】端末装置の動作手順を示すフローチャートである。
【図１１】経路案内仲介サーバの構成を示すブロック図である。
【図１２】サービスエリアの異なる複数の経路案内システムによる経路案内サービスの概念を説明するためのシステム構成図である。
【発明を実施するための形態】
【００６４】
以下、本発明の具体例を実施例及び図面を用いて詳細に説明する。但し、以下に示す実施例は、本発明の技術思想を具体化するための経路案内システムを例示するものであって、本発明をこの経路案内システムに特定することを意図するものではなく、特許請求の範囲に含まれるその他の実施形態の経路案内システムにも等しく適用し得るものである。
【実施例１】
【００６５】
図１は、本発明にかかる経路案内システム１０の構成を示すシステム構成図である。図１に示すように経路案内システム１０は、ネットワーク１２を介して接続される端末装置２０と第１経路案内サーバ（経路探索サーバ３０Ａ）及び第２経路案内サーバ（探索サーバ３０Ｂ）を備えて構成されている。この経路案内システム１０の第１及び第２経路案内サーバ（経路探索サーバ３０Ａ、３０Ｂ）は、それぞれ特定の国や地域を、経路探索及び経路案内のサービスを提供するエリアとしており、それぞれの経路案内サーバ（探索サーバ３０Ａ、３０Ｂ）は特定のサービス提供エリアをカバーする地図データや経路探索用ネットワークデータのみを有している。【００６６】
図１においては、第１、第２経路案内サーバ（経路探索サーバ３０Ａ、３０Ｂ）のみを図示しているが、このようなサービス提供エリアは他にも複数あり、それぞれが経路案内サーバを備えており、相互に連携して経路探索や地図情報提供などの経路案内を行う。また、第１、第２経路案内サーバ（経路探索サーバ３０Ａ、３０Ｂ）は、エリア内のＰＯＩ（興味対象場所：Ｐｏｉｎｔ  ｏｆ  Ｉｎｔｅｒｅｓｔ）のデータを保持しており、ＰＯＩ検索機能を有しており、検索されたＰＯＩの所在位置を含む地図情報を提供し、あるいは、指定された地点から検索されたＰＯＩまでの経路を探索して案内することもできる。以下の説明においては、経路案内サーバを経路探索サーバということとする。【００６７】
経路案内システム１０は、各種カテゴリに属するＰＯＩ（Ｐｏｉｎｔ  ｏｆ  Ｉｎｔｅｒｅｓｔ）の所在地やサービス内容等の詳細情報を提供するＰＯＩ情報配信サーバ５０、音楽や各種画像等のコンテンツその他の情報を提供する各種の情報配信サーバ５１等を備えて構成されている。これにより、第１及び第２経路探索サーバ３０ＡはＰＯＩ情報配信サーバ５０や他の情報配信サーバ５１からネットワーク１２を経由して必要なデータを取得して自身のデータベースに追加することができる。また、第１及び第２経路探索サーバ３０Ａ、３０Ｂは、同様にしてＰＯＩ情報配信サーバ５０や他の情報配信サーバ５１に検索要求を送信して所望の検索結果を取得することもできる。また、端末装置２０は、携帯電話を用いることができる他、ＰＤＡや音楽プレイヤーや携帯ゲーム機等の携帯機器、或いは、モバイルパーソナルコンピュータ（ＰＣ）であってもよい。【００６８】
図１に示す第１及び第２経路探索サーバ３０Ａ、３０Ｂは、それぞれ地図データベース３２Ａ、３２Ｂ、経路探索用ネットワークデータベース３３Ａ、３３Ｂを備え、端末装置２０から経路探索要求があると、経路探索用ネットワークデータベース３３Ａ、３３Ｂを参照して経路を探索する。そして経路探索の結果により得た最適経路や候補経路の案内経路データは端末装置２０に送信される。また、端末装置２０から所望の地点やＰＯＩ検索にかかる地図データの取得要求があると、地図データベース３２Ａ、３２Ｂを参照して該当する地図データを読み出して端末装置２０に配信する。【００６９】
経路探索用ネットワークデータベース３３Ａ、３３Ｂは、徒歩や自動車による経路を探索するための道路ネットワークデータと、鉄道、航空機、船舶、バス等の交通機関を用いて移動する経路を探索するための交通ネットワークデータを備えている。道路ネットワークデータは道路を交差点や結節点をノードとして、各ノードを接続するリンクで表現したものであり、各リンクには標準的な速度で移動した場合の所要時間がリンクのコストとして対応付けられている。【００７０】
交通ネットワークデータは、各交通機関の路線の駅や空港、港をノードとして、各ノードを接続するリンクで表現し、個々の電車や航空機、船舶、バス等の交通手段のそれぞれがリンクを構成し、ノードの出発時刻やノードへの到着時刻が運行時刻表に基づいて対応付けられたデータで構成される。【００７１】
端末装置２０において、出発地や目的地、移動手段（徒歩、自動車、交通機関等の別）、出発時刻等の時刻条件を指定した経路探索条件が設定され、第１及び第２経路探索サーバ３０Ａ、３０Ｂに経路探索要求を行うと、第１及び第２経路探索サーバ３０Ａ、３０Ｂはそれぞれ経路探索用ネットワークデータベース３３Ａ、３３Ｂのネットワークデータを参照して出発地から目的地まで、経路探索条件に合致する最適経路又は複数の候補経路を探索し、端末装置２０にそれらの経路の情報を回答する。端末装置２０において経路を選択して経路案内の要求がなされると、地図データや選択された経路のデータ、当該経路をガイドする案内データが端末装置２０に送信される。【００７２】
本発明においては、それぞれ異なるエリアをサービス提供エリアとする異なる経路探索サーバが相互に連携して、端末装置２０が設定した出発地と目的地に従って、異なるエリアに跨がる出発地から目的地に至る経路のリンクコストが最小となる最適な経路を推奨経路として探索して案内できるようにしたものである。経路探索および推奨経路の決定の手順は図１２を参照して説明した手順による。【００７３】
ところで、あるエリア内に当該エリアをサービス提供エリアとする複数の経路探索サーバが存在している場合がある。それぞれの経路探索サーバは、サービス提供エリアをカバーする地図データや経路探索用ネットワークデータ、ＰＯＩ（興味対象場所：Ｐｏｉｎｔ  ｏｆ  Ｉｎｔｅｒｅｓｔ）のデータを保持している。本明細書においては、これらのデータをサーバ保有データということとする。ところで、これらのサーバ保有データの詳細、すなわち、サーバ保有データの充実度、新鮮度、情報量などの詳細は、経路探索サーバによりそれぞれ異なることが起こり得る。【００７４】
例えば、地図データには種々の縮尺（広域図、中域図、市街地図など）のデータがあり、各経路探索サーバが異なる縮尺の地図データを保有している場合がある。また、ＰＯＩデータも同様であり、それぞれの経路探索サーバが保有しているＰＯＩカテゴリやＰＯＩ数がそれぞれ異なる場合がある。更には、経路探索サーバが保有しているデータの更新日時が異なる場合がある。サーバ保有データの詳細が異なると、端末装置２０が経路探索サーバ３０Ａ等に所望のサービスの提供を受けるために処理要求を依頼した場合、その経路探索サーバ３０Ａ等のサーバ保有データによっては、満足なサービスが受けられないケースが起こる。【００７５】
そこで、本発明においては、端末装置から所望のエリアに関する経路案内サービスなどの処理要求があった場合、要求を受信した経路案内サーバが、該当するエリア内の複数の情報案内サーバからそれぞれが保持しているデータに関する詳細情報を取得して評価し、その評価値を端末装置に提供し、端末装置において適切な経路案内サーバを選択するように構成する。【００７６】
図２は、このような経路探索サーバの連携による本発明の経路探索、経路案内の概念を説明するためのシステム構成図である。図２において、経路探索サーバ３０ＡはエリアＡをサービス提供エリアとし、経路探索サーバ３０Ｂ１は、エリアＢをサービス提供エリアとする。また、エリアＢにはエリアＢをサービス提供エリアとする他の経路探索サーバ３０Ｂ２、３０Ｂ３が存在する構成となっている。【００７７】
エリアＡの経路探索サーバ３０Ａは、エリアＡをカバーする地図データや経路探索用ネットワークデータのみを有しており、エリアＢの経路探索サーバ３０Ｂ１等は、エリアＢをカバーする地図データや経路探索用ネットワークデータのみを有している。従って、経路探索サーバ３０ＡはエリアＢ内の地点を出発地や目的地とする経路探索はできず、経路探索サーバ３０Ｂ等は、エリアＡ内の地点を出発地や目的地とする経路探索はできない。【００７８】
エリアＡ内に位置する端末装置２０から経路探索サーバ３０Ａに、出発地ＳがエリアＡ内の地点であり、目的地ＧがエリアＢ内の地点であるような、エリアをまたぐ経路探索要求があった場合に、経路探索サーバ３０Ａと経路探索サーバ３０Ｂ等とが連携して、出発地Ｓから目的地Ｇまでの最適な経路を推奨経路として決定し端末装置２０に案内する。その際、エリアＢには複数の経路探索サーバ３０Ｂ１〜３０Ｂ２が存在するから、エリアＢをサービス提供エリアとする経路探索サーバ３０Ｂ１〜３０Ｂ３のサーバ保有データはそれぞれ異なっている場合があり、端末装置２０の処理要求に対して、経路探索サーバ３０Ｂ１〜３０Ｂ３から、適切なサービスを提供できるサーバを選択する。【００７９】
本発明においては、サーバ選択にあたって経路探索サーバ３０Ａは、エリアＢをサービス提供エリアとする各々の経路探索サーバ３０Ｂ１〜３０Ｂ３からサーバ保有データの詳細情報を取得し、それに基づいてサーバ保有データの評価を行い、評価値を算出し、端末装置２０にサーバ情報と評価値を送信し、端末装置２０においてサーバを選択できるようにする。以下、サーバ保有データの例と、評価の手順について説明する。【００８０】
（サーバ保有データの詳細情報：地図データの充実度）
図３は、地図データの構成の概念を示す図である。通常、地図データは所定の緯度、経度によって所定の大きさの領域に区切られてメッシュ状に区分される。例えば、図３に示すように、緯度幅が１／１２０度（３０秒）、経度幅が１／８０度（４５秒）の２次メッシュの地図データ、２次メッシュＭ３０〜Ｍ３４の４メッシュ分を結合した１次メッシュの地図データ、２次メッシュＭ３０〜Ｍ３４のそれぞれを４分割した３次メッシュの地図データ、３次メッシュを更に４分割した４次メッシュの地図データが地図データベース（例えば図２、３２Ｂ参照）に記憶されている。１次メッシュ緯度幅は６０秒、経度幅は９０秒、３次メッシュの緯度幅は１５秒、経度幅は２２．５秒、４次メッシュの緯度幅は７．５秒、経度幅は１１．２５秒である。【００８１】
２次メッシュの緯度幅が３０秒、経度幅が４５秒であるから、１次メッシュの緯度幅は６０秒、経度幅は９０秒であり、３次メッシュの緯度幅は１５秒、経度幅は２２．５秒、４次メッシュの緯度幅は７．５秒、経度幅は１１．２５秒になる。例えば、１次メッシュは広域地図、２次メッシュの地図は中域図１、３次メッシュの地図は中域図２、４次メッシュの地図は市街地図である。一般に、市街地図は、範囲は狭いが小さな道路も含む詳細な地図であり、広域図は、範囲は広いが幹線道路などの主要道路を中心とした地図である。また、各メッシュの地図データにはメッシュ内に所在する主要ＰＯＩ（例えば、駅や病院、ランドマークになる建物などの施設）のデータも含まれる。メッシュの大きさに応じて地図の詳細度を調整することで１つの地図メッシュに含まれるデータ量がいたずらに増えることがないようにされている。【００８２】
すなわち、地図データは、所定の緯度、経度で区分された地図メッシュから構成され、最も広い緯度、経度範囲の上位メッシュの地図データから、前記上位メッシュを所定の分割数で分割した下位メッシュの地図データまで、段階別に区分された地図データを含み、上位の地図メッシュから下位の地図メッシュになるに従って、地図データに含まれる道路データが詳細なものになっている。【００８３】
このような地図データを各々の経路探索サーバが保有するが、全ての経路探索サーバが１次メッシュ〜４次メッシュまでの全ての地図データを保有しているとは限らない。例えば、エリアＢ内の山間部では広域図しか保有せず、市街地図も主要な市街地のみ保有しているような場合もある。経路探索や経路案内、地図表示においては、経路探索サーバ３０Ａ等がこれらの地図メッシュをどの程度保有しているかにより、要求された処理に適した地図データを提供できるか、代替の地図データを提供するかが定まってしまう。【００８４】
図４は、サーバ保有データの詳細情報の一例を示す図である。図４において、図４Ａは地図データの詳細情報の一例を示し、図４Ｂはデータの更新履歴の一例を示し、図４ＣはＰＯＩデータの詳細情報の一例を示している。【００８５】
図４Ａは、各経路探索サーバ３０Ｂ１〜３０Ｂ３が保有している地図データの充実度を示している。図４Ａによれば、経路探索サーバ３０Ｂ１は、端末装置２０が指定した目的地付近、主要市街地それぞれ１次メッシュ〜４次メッシュの地図データを保有しており、経路探索サーバ３０Ｂ２は、目的地付近では１次メッシュ〜３次メッシュの地図データ、主要市街では１次メッシュ〜４次メッシュの地図データを保有しており、経路探索サーバ３０Ｂ３は、目的地付近、主要市街地それぞれ１次メッシュ〜３次メッシュの地図データを保有していることを示している。【００８６】
（サーバ保有データの詳細情報：情報の更新日付け）
図４Ｂはサーバ保有データの更新月を示している。図４Ｂによれば、経路探索サーバ３０Ｂ１の地図データ、ＰＯＩデータ、経路探索用データなどのサーバ保有データは２００６年１月に更新され、経路探索サーバ３０Ｂ２の地図データ、ＰＯＩデータ、経路探索用データなどのサーバ保有データは２００９年１月に更新され、経路探索サーバ３０Ｂ３の地図データ、ＰＯＩデータ、経路探索用データなどのサーバ保有データは２００７年７月に更新されたことを示している。従って、経路探索サーバ３０Ｂ２が最も新鮮なサーバ保有データを有していることがわかる。【００８７】
（サーバ保有データの詳細情報：ＰＯＩ情報の充実度・情報量）
図４Ｃは、経路探索サーバ３０Ｂ１〜３０Ｂ３が保有しているエリアＢ内のＰＯＩに関する情報の一例を示す図である。ＰＯＩは例えば、「飲食店」、「娯楽施設」、「医療施設」、「観光施設」、「交通施設」などのカテゴリに区分され、図４Ｃには、それぞれの経路探索サーバ３０Ｂ１〜３０Ｂ３が保有しているＰＯＩの数がカテゴリ別に示されている。図６によれば、経路探索サーバ３０Ｂ１は「飲食店」に属するＰＯＩの情報量が多く充実しているが、経路探索サーバ３０Ｂ２は「娯楽施設」、経路探索サーバ３０Ｂ３は「医療施設」に属するＰＯＩの情報量がそれぞれ多く、充実していることがわかる。【００８８】
サーバ保有データには、図４で説明したデータ以外にも、種々のデータがある。例えば、各道路における車両の渋滞情報や通行禁止区間などの道路交通情報、交通機関の運行時刻情報、駅時刻表情報などの情報があり、経路探索サーバ３０Ａは、それらのサーバ保有データについても同様の詳細情報を取得する。【００８９】
このように複数の経路探索サーバ３０Ｂ１〜３０Ｂ３のサーバ保有データの詳細が異なる場合、端末装置２０が要求する処理に適したデータを保有する経路探索サーバに処理を実行させることが好ましい。そこで本発明においては、エリアＡの経路探索サーバ３０Ａは、端末装置２０から受信した処理の対象（この場合は目的地Ｇが属するエリア）がエリアＢであるから、先ず、エリアＢをサービス提供エリアとする経路探索サーバ３０Ｂ１〜３０Ｂ３からサーバ保有データの詳細情報を取得して、詳細情報に基づいて各経路探索サーバ３０Ｂ１〜３０Ｂ３のサーバ保有データの評価値を算出する。【００９０】
すなわち、経路探索サーバ３０Ｂ１〜３０Ｂ３が保有するサーバ保有データの詳細が異なる場合、端末装置２０からの各種の処理を実行するにあたって、経路探索サーバ３０Ａは適切なサーバ保有データを有する経路探索サーバに処理を依頼することが好ましい。端末装置２０が要求する処理が経路探索や経路案内である場合には、地図データ、経路探索用のネットワークデータの充実度が高いサーバ保有データを有する経路探索サーバに処理を依頼するほうが適切なサービスを受けることができる。また、端末装置２０が要求する処理が所望のＰＯＩを検索するＰＯＩ検索処理である場合には、ＰＯＩ情報の充実度が高く、また、情報量が多いサーバ保有データを有する経路探索サーバに処理を依頼するほうがよい。また、適切なサービスを期待するには、サーバ保有データの更新が新しい経路探索サーバを選択することも必要になる。【００９１】
そこで、経路探索サーバ３０Ａは、各経路探索サーバ３０Ｂ１〜３０Ｂ３から取得したサーバ保有データの詳細情報に基づいて、サーバ保有データをランク付けする評価値を算出する。評価値の算出は次のようにして行う。すなわち、地図データの充実度、情報の新鮮度、ＰＯＩ情報の充実度・情報量など各サーバ保有データを、充実度、新鮮度、情報量の高い順に、例えば、１０段階にランク分けし、ランクに対応して予め設定した数値を用いて数値化し、それらの数値を加えて総合的な評価値とする。【００９２】
サーバ評価手段３１１Ａは、各経路探索サーバ３０Ｂ１等から取得した詳細情報に基づいて各経路探索サーバ３０Ｂ１等のサーバ保有データの充実度、情報数、更新日付新しさに応じて所定の段階付けを表す数値を評価値とし、その合計により各経路探索サーバ３０Ｂ１等の評価値を算出する。例えば、サーバ評価手段３１１Ａは、サーバ保有データの地図データについて、下位メッシュの地図データをより多く含む経路探索サーバの評価値を、他の経路探索サーバの評価値より高く算出する。【００９３】
また、サーバ評価手段３１１Ａは、現在日時により近い更新日付情報を有する詳細情報を取得した経路探索サーバの評価値を、他の経路探索サーバの評価値より高く算出し、あるいは、サーバ評価手段３１１Ａは、ＰＯＩのカテゴリ種別の数と各カテゴリに属するＰＯＩ情報の数の何れか一方または両方の数が多い経路探索サーバの評価値を、他の経路探索サーバの評価値より高く算出する。【００９４】
更に、経路探索サーバ３０Ａは、評価値を算出するにあたって、端末装置からの処理要求に、特定のサーバ保有データのうち重視するデータ項目が含まれる場合、サーバ評価手段３１１Ａは、当該重視するデータ項目に該当するサーバ保有データを有する経路探索サーバの評価値を、他の経路案内サーバの評価値より高く算出する。例えば、処理要求にＰＯＩカテゴリ（例えば、医療施設）が設定されている場合には、医療施設に属するＰＯＩ情報数が多いサーバ保有データを有する経路探索サーバの評価値が、他の経路探索サーバの評価値より高くなるようにする。これにより利用者の処理要求に適合する経路探索サーバの評価値を高くすることができ、ユーザ選択において適切なサーバ選択が促されるようになる。【００９５】
評価値を算出すると、経路探索サーバ３０Ａは、端末装置２０にサーバ名とサーバ保有データの評価値からなるサーバ情報を送信し、端末装置２０において所望のサーバを選択させる。端末装置２０においてサーバが選択されると、端末装置２０からの処理要求は選択されたサーバにおいて実行される。【００９６】
このように、端末装置２０から処理要求を受信した経路探索サーバ３０Ａが、処理要求の対象になるエリア及び該エリアをサービス提供エリアとする経路探索サーバ３０Ｂ１等を判定し、該当する経路探索サーバ３０Ｂ１等が複数ある場合には、各経路探索サーバ３０Ｂ１等からサーバ保有データの詳細情報を取得して各サーバの保有データを評価し、経路探索サーバ３０Ａは、該評価結果を含むサーバ情報を端末装置２０に送信して、端末装置２０において、サーバを選択させるものであるから、評価の高いサーバを選択することにより、所望のエリアに関する経路案内サービスを要求する端末装置２０が、要求に応じて適切な経路案内サーバを選択することができるようになる。【００９７】
図５は、経路探索サーバ及び端末装置の詳細な構成を示すブロック図である。端末装置２０およびそれぞれのエリアをサービス提供エリアとする経路探索サーバ３０Ａ等は、基本的には全て同様の構成を持つものであり、ここでは、エリアＡをサービス提供エリアとる経路探索サーバ３０Ａと端末装置２０のみを図示し、以下の説明を進める。【００９８】
端末装置２０は、ナビゲーションサービスを受けることができる端末であり、制御手段２０１、通信手段２０２、ＧＰＳ受信手段２０３、処理要求手段２０４、推奨経路データ記憶手段２０５、表示手段２０６、操作入力手段２０７、ＰＯＩ検索手段２０８、経路案内要求手段２０９等を備えて構成されている。操作入力手段２０７は、文字入力キー、選択キー、表示画面に表示されたメニュー画面の設定項目等を選択するカーソルキー等で構成される。【００９９】
ＧＰＳ受信手段２０３は、ＧＰＳ受信機を有しており、複数のＧＰＳ衛星から送信されるＧＰＳ衛星信号を受信し、現在位置を緯度、経度で算出して端末装置２０の現在位置を取得する。処理要求手段２０４は、操作入力手段２０７や表示手段２０６に表示されたメニュー画面を用いて、設定された条件等に基づいて、経路探索サーバ３０Ａ等に処理要求を送信する。処理要求は、経路探索要求、所望地点を含む地図要求、ＰＯＩ検索要求などである。【０１００】
また処理要求の結果、例えば、経路探索の結果、経路探索サーバ３０Ａから受信した推奨経路データは推奨経路データ記憶手段２０５に記憶され、地図情報とともに推奨経路を表示手段２０６に表示する。また、経路案内要求手段２０８は、推奨経路に従って経路探索サーバ３０Ａに経路案内を要求し、経路や進行方向などの案内を受けることができる。また、ＰＯＩ検索手段２０８は所望のＰＯＩのカテゴリを指定して経路探索サーバ３０ＡにＰＯＩ検索を要求し、表示手段２０６に地図を表示するとともに検索したＰＯＩの所在位置を表示することもできる。また、検索したＰＯＩの位置を目的地として所望の出発地点からそのＰＯＩまでの経路探索を要求することもできる。【０１０１】
経路探索サーバ３０Ａ、３０Ｂ、３０Ｂ１〜３０Ｂ３等は、先に説明したように、基本的に同一の構成を有しており、以下の説明においては経路探索サーバの各構成要素には同一の数字を付与しその後にサーバを示す英字Ａ〜Ｎを付して表現することとする。また、同一名称の構成要素は同一の機能を有するものとする。経路探索サーバはそれぞれ、地図データを蓄積した地図データベース３２Ａ、経路探索用の道路ネットワークデータ３３１Ａ、と交通ネットワークデータ３３２Ａ、とを蓄積した経路探索用ネットワークデータベース３３Ａ、ＰＯＩの名称や位置情報を蓄積するＰＯＩ情報データベース３４Ａ、を備えている。【０１０２】
経路探索サーバ３０Ａが徒歩や公共交通機関を利用した経路を探索して端末装置２０に案内する場合、経路探索サーバ３０Ａ、は道路ネットワークデータ３３１Ａと交通ネットワークデータ３３２Ａとを用いて経路を探索する。また、経路探索サーバ３０Ａが、ＰＯＩを検索して端末装置２０に案内する場合、経路探索サーバ３０Ａは、ＰＯＩ情報データベース３４Ａを参照して該当するＰＯＩを検索する。同様に経路探索サーバ３０Ａが、端末装置２０から要求された所望の地点を含む地図データを提供する場合、経路探索サーバ３０Ａは地図データベース３２Ａから該当する地図データを読み出して端末装置２０に提供する。【０１０３】
また、経路探索サーバ３０Ａは、制御手段３０１Ａ、通信手段３０２Ａ、処理要求記憶手段３０３Ａ、エリア判定手段３０４Ａ、サーバ判定手段３０５Ａ、候補接点抽出手段３０６Ａ、経路探索手段３０７Ａ、案内情報編集手段３０８Ａ、サーバ情報取得手段３０９Ａ、サーバ評価手段３１１Ａ、候補経路結合手段３１２Ａ、推奨経路決定手段３１３Ａ、経路記憶手段３１４Ａ等を備えて構成されている。【０１０４】
経路探索サーバ３０Ａは端末装置２０から経路探索、ＰＯＩ検索、地図要求などの処理要求を受信すると、エリア判定手段３０４Ａは処理要求に含まれる情報に基づいて、処理に必要なエリアを判別する。処理要求が経路探索サーバ３０Ａのサービス提供エリアＡの範囲内を対象とするものであれば、他のエリアを考慮する必要はない。処理要求が他のエリアの範囲内を対象として含んでいる場合には、対象のエリアを判定する。エリアの判定は処理要求に含まれる情報、例えば、経路探索要求においては、出発地や目的地などの情報、地図要求においては要求する地図を特定する地点の情報、ＰＯＩ検索においては、ＰＯＩ所在地域などの情報に基づいて行うことができる。【０１０５】
処理要求の対象エリアが判定されると、サーバ判定手段３０５Ａは、そのエリアをサービス提供エリアとする経路探索サーバ３０Ａ、３０Ｂ等を判定するとともに、同一エリアに複数の経路探索サーバが存在するか否かを判定する。ここでは、端末装置２０からの処理要求が経路探索要求であり、出発地ＳがエリアＡに属する地点、目的地ＧがエリアＢに属する地点であり、エリアＢには複数の経路探索サーバ３０Ｂ１〜３０Ｂ３が存在する場合（図２参照）について説明する。【０１０６】
サーバ判定手段３０５ＡによりエリアＢの複数の経路探索サーバ３０Ｂ１〜３０Ｂ３が判定されると、サーバ情報取得手段３０９Ａは、それぞれの経路探索サーバ３０Ｂ１〜３０Ｂ３からサーバ名、サーバ保有データの詳細情報を取得する。サーバ情報取得手段３０９Ａが各経路探索サーバ３０Ｂ１〜３０Ｂ３からサーバ保有データの詳細情報を取得すると、サーバ評価手段３１１Ａは、サーバ保有データの詳細情報に基づいて各サーバの評価値を算出し、評価値に応じてサーバをランク付けする。評価値の算出サーバのランク付けについては先に説明した。【０１０７】
なお、評価値はデータの詳細情報に従って予め設定されたランクに分けして、ランクに応じて予め設定した数値を用いて算出した固定的なものであってもよいが、端末装置２０の要求に従って、経路探索サーバ３０Ａにおいて端末装置２０の処理要求に応じてランクに付与する数値を変更し、動的に評価値を算出するようにしてもよい。【０１０８】
例えば、端末装置２０の処理要求が「医療施設」に関するＰＯＩ検索であった場合、「医療施設」情報の充実度やＰＯＩ情報の情報量が重要な要素となるから、それがランクに大きく反映するように数値を設定して評価値を算出するように構成することもできる。この場合には、経路探索サーバ３０Ｂ３のサーバ保有データが最も要求に適したものとして評価されるので、経路探索サーバ３０Ｂ３が一番上位に来るようにランク付けし、ユーザに当該経路探索サーバ３０Ｂ３の選択を促すようにすることができる。【０１０９】
なお、評価値の算出には種々の方法を採ることができる。例えば、ランクを示す数値そのものを用いて評価値を算出するようにしてもよい。更に、図４に例示したサーバ保有データの詳細情報を、ランクを示す数値で表し、サーバ保有データの詳細情報をその数値を用いて経路探索サーバ３０Ａに提供する構成にすることもできる。【０１１０】
各経路探索サーバ３０Ｂ１〜３０Ｂ３の評価が完了すると、経路探索サーバ３０Ａは、端末装置２０にサーバ名とサーバ保有データの評価値からなるサーバ情報を送信し、端末装置２０において所望のサーバを選択させる。図６は、経路探索サーバ３０Ａから受信したサーバ情報に基づいて、端末装置２０の表示手段に表示されるサーバ選択画面の一例を示す図であり、図６Ａは、評価値が高い順にユーザに選択を推奨するサーバを表示した画面の例を示し、図６Ｂは、サーバ名と対にして評価値の大小を示す星印を表示した画面の例を示している。図６では経路探索サーバ３０Ｂ３の評価値が最も大きく、推奨するサーバとなっている。【０１１１】
表示された経路探索サーバ３０Ｂ１〜３０Ｂ３の何れかを選択して「決定」ボタンを操作すると、サーバが決定される。経路探索サーバ３０Ａは端末装置２０からサーバの選択結果を受取ると、選択された経路探索サーバに対して処理の要求を依頼する。図６Ａ、図６Ｂの選択画面においては経路探索サーバ３０Ｂ３が選択された例を示している。以下、端末装置２０において経路探索サーバ３０Ｂ３が選択されたものとして説明をする。【０１１２】
端末装置２０から経路探索サーバ３０Ａに送信された経路探索要求に含まれる探索条件等は一旦処理要求記憶手段３０３Ａに記憶される。エリア判定手段３０４Ａは、処理要求記憶手段３０３Ａに記憶された経路探索要求条件に含まれる出発地及び目的地が、経路探索サーバ３０Ａのサービス提供エリア内の地点か否かを判定する。【０１１３】
出発地及び目的地が経路探索サーバ３０Ａのサービス提供エリア内の地点である場合、経路探索手段３０７Ａが経路探索要求に含まれる経路探索条件に従って経路探索用ネットワークデータベース３３Ａを参照して出発地から目的地に至る通常の経路探索を行い、探索された複数の候補経路を経路記憶手段３１４Ａに記憶する。そして推奨経路決定手段３１３Ａが最適な経路を決定し、配信データ編集手段３１５Ａにより端末装置２０に対する配信データに編集され、通信手段３０２Ａによって端末装置２０に配信される。この処理は一般的な経路探索システムにおける経路探索処理と同様である。【０１１４】
出発地ＳがエリアＡ内、目的地ＧがエリアＡの外であり、エリアＢ内の地点である場合、経路探索サーバ３０Ａは、選択されたエリアＢの経路探索サーバ３０Ｂ３に目的地ＧまでのエリアＢ内の経路探索を依頼し、以下に説明する手順によりエリアＡとエリアＢとを繋ぐ推奨経路を決定し、端末装置２０に該推奨経路の情報を送信し、経路案内を行う。【０１１５】
先ず、経路探索サーバ３０Ａは、目的地ＧがエリアＡの外であり、エリアＢ内の地点である場合、候補接点抽出手段３０６Ａは、エリアＡとエリアＢを繋ぐ移動手段のリンクを検索し、１つ又は複数の候補接点Ｐ１〜Ｐ３を抽出する。次いで、経路探索手段３０７Ａは、出発地Ｓからそれぞれの候補接点Ｐ１、Ｐ２、Ｐ３までの最適経路（経路のトータルなリンクコストが最小となる経路）を探索して候補経路ＳＰ１、ＳＰ２、ＳＰ３とし、そのトータルなリンクコスト（所要時間）を求める。各候補接点、候補経路の情報は経路記憶手段３１４Ａに一時記憶される。【０１１６】
経路探索サーバ３０Ａは、目的地Ｇの地点情報と、候補接点Ｐ１〜Ｐ３の地点情報と、候補経路の所要時間を、目的地Ｇが位置するエリアＢをサービス提供エリアとする選択された経路探索サーバ３０Ｂ３に送る。経路探索サーバ３０Ｂ３は、候補接点Ｐ１〜Ｐ３の地点情報と、目的地Ｇの地点情報とに基づいて、それぞれの候補接点Ｐ１〜Ｐ３から目的地Ｇまでの最適経路（経路のトータルなリンクコストが最小となる経路）を探索して候補経路Ｐ１Ｇ、Ｐ２Ｇ、Ｐ３Ｇを探索する。【０１１７】
経路探索サーバ３０Ｂ３は、候補経路結合手段３１２Ｂによって各候補経路Ｐ１Ｇ、Ｐ２Ｇ、Ｐ３Ｇのトータルなリンクコスト（所要時間）に、経路探索サーバ３０Ａが探索した候補経路ＳＰ１、ＳＰ２、ＳＰ３のトータルなリンクコスト（所要時間）を各候補接点Ｐ１〜Ｐ３において結合（加算）し、推奨経路決定手段３１３は、出発地Ｓから目的地Ｇまでの経路のトータルなリンクコスト（所要時間の合計）が最小になる最適な経路を推奨経路として決定する。以下、例示のため、候補接点Ｐ２で結合される候補経路ＳＰ２と候補経路Ｐ２Ｇのトータルなリンクコスト（所要時間の合計）が最小であった場合について説明する。【０１１８】
エリアＡをサービス提供エリアとする経路探索サーバ３０Ａは、端末装置２０がエリアＢ内でローミング可能か否かを判定し、経路探索サーバ３０Ｂ３に経路探索を依頼する際にローミング可否情報を送信しておくとよい。エリアＢの経路探索サーバ３０Ｂ３は、上記のようにして最適経路Ｐ２Ｇが決定されると、経路探索サーバ３０Ａから受信したローミング可否情報に基づいて、最適経路Ｐ２Ｇのデータ編集処理を決定する。端末装置２０がエリアＢにおいてローミングが可能である場合、経路探索サーバ３０Ｂ３は、候補接点Ｐ２から目的地Ｇまでの最適経路Ｐ２Ｇのリンクコストの情報と、この経路情報にアクセスするためのリンク情報を経路探索サーバ３０Ａに送信する。端末装置２０がエリアＢ内に移動した際に、詳細な経路案内を受けることができるから、リンク情報を経路探索サーバ３０Ａに送信しておけば、ユーザの要求があるときにのみ経路探索サーバ３０Ｂ３から経路探索サーバ３０Ａに経路案内情報及び地図データを送信するようにし、不必要なデータの送信を防止することができる。【０１１９】
端末装置２０がエリアＢにおいてローミングが不可能である場合、経路探索サーバ３０Ｂ１は、エリアＢの地図データをエリアＡの経路探索サーバ３０Ａへ出力することが可能か否かを判定する。そして、地図データの出力が可能である場合には、経路探索サーバ３０Ｂ３は、候補接点Ｐ２から目的地Ｇまでの経路案内情報と地図データを経路探索サーバ３０Ａに送信する。経路探索サーバ３０Ａは、経路探索サーバ３０Ｂ３から受信した最適な経路Ｐ２Ｇの経路案内情報、及び地図データと、経路探索サーバ３０Ａにおいて経路探索された出発地Ｓから候補接点Ｐ２に至る経路ＳＰ２の経路案内情報、及び地図データを端末装置２０に送信する。なお、経路探索サーバ３０Ａは、経路案内情報と地図データを取得するためのリンク情報のみを端末装置２０に送信しておき、端末装置２０においてリンク情報を基に地図データ要求があった場合に端末装置２０に送信するようにしてもよい。【０１２０】
地図データの出力が法的に制限されている等のために地図データの出力が不可能である場合には、経路探索サーバ３０Ｂ３は、候補接点Ｐ２から目的地Ｇまでの経路Ｐ２Ｇの経路情報、地図情報をテキストデータ化して編集し、経路探索サーバ３０Ａに送信する。なお、このテキストデータはローミング可能である場合に送信される経路案内情報よりも詳細なものである。経路探索サーバ３０Ａは、経路探索サーバ３０Ｂ３から受信した最適な経路Ｐ２Ｇのテキストデータと、経路探索サーバ３０Ａにおいて経路探索された出発地Ｓから候補接点Ｐ２に至る経路ＳＰ２の経路案内情報及び地図データを端末装置２０に送信する。【０１２１】
なお、上記の説明では、推奨経路の決定はエリアＢの経路探索サーバ３０Ｂ３が行う場合を説明したが、本発明は、これに限られず、経路探索サーバ３０Ｂ３は単に経路探索の結果としてのそれぞれの経路のＰ１Ｇ〜Ｐ３Ｇまでのリンクコストを経路探索サーバ３０Ａに返信し、経路探索サーバ３０Ａにおいて推奨経路の決定を行うようにしてもよい。その場合には、決定された推奨経路を経路探索サーバ３０Ｂ３に通知し、経路探索サーバ３０Ｂ３から推奨経路にかかる経路案内情報、地図情報、テキストデータを経路探索サーバ３０Ａに送信する。【０１２２】
また、経路探索サーバ３０Ｂ３が、経路探索サーバ３０Ａから受信した目的地Ｇの地点情報に基づいて、経路探索サーバ３０Ａが抽出した候補接点Ｐ１〜Ｐ３とは異なる候補接点ＰＸを抽出した時は、候補接点ＰＸの地点情報を経路探索サーバ３０Ａに送り、出発地Ｓから候補接点ＰＸまでの最適な候補経路を追加探索するように要求し、その候補経路のリンクコスト（所要時間）を経路探索サーバ３０Ａから取得し、経路探索サーバ３０Ａにおける推奨経路の決定時に、この新たな候補経路を他の候補経路に加えて最終的な推奨経路決定を行えばよい。【０１２３】
ここで、図２に示す候補接点はある特定の地点のように示されているが、エリアＡとエリアＢとが陸路で隣接し、移動手段が自動車や鉄道である場合にはエリアＡとエリアＢとを繋ぐ候補接点はエリア境界の地点であり、図２のＰ１〜Ｐ３に示すように候補接点の地点情報として特定できる場合もあるが、そうでない場合もある。【０１２４】
例えば、エリア間の移動手段が航空機を用いる経路や船舶を用いる経路である場合、エリア間を繋ぐ航空機や船舶を移動手段とするリンクの両端のノードであるエリアＡ側のノードとエリアＢ側のノードが候補接点になる。図２のように出発地ＳがエリアＡ、目的地ＧがエリアＢにある場合、エリアＡ側の経路探索サーバ３０ＡからエリアＢ側の経路探索サーバ３０Ｂ１に送られる候補接点の地点情報は航空機リンク或いは船舶リンクの目的地側ノードとなる空港或いは港であり、エリアＡの経路探索サーバ３０Ａの候補接点の地点情報は航空機リンク或いは船舶リンクの出発地側ノードとなる空港或いは港である。この場合、推奨経路の総コストには航空機リンク或いは船舶リンクの所要時間を加えることは勿論である。【０１２５】
また、経路探索サーバ３０Ａにおいて、経路探索サーバ３０Ｂ３がサービスを提供するエリアＢの範囲内に位置する目的地Ｇを特定するためには、経路探索サーバ３０Ａにおいて目的地Ｇの位置情報を特定する必要がある。その場合は、経路探索サーバ３０ＡがエリアＢの地図データを持つ必要はなく、エリアＢの範囲内の都市名や著名施設名等をＰＯＩ検索してその位置情報を取得するように構成すればよい。ＰＯＩの情報はＰＯＩ情報配信サーバ５０（図１参照）から取得してＰＯＩ情報データベース３４Ａに蓄積することができる。【０１２６】
経路探索サーバ３０ＡのＰＯＩ情報データベース３４Ａには、エリアＡ以外のエリアや外国のＰＯＩ情報として、主要施設である空港や港湾等の情報も含まれるから、経路探索サーバ３０Ａは、指定された目的地Ｇの周辺の空港や港を候補接点として抽出することができる。【０１２７】
ここで、交通機関による移動経路を含む経路の一般的な探索方法について説明する。それぞれの経路探索サーバ３０Ａ、３０Ｂの経路探索用ネットワークデータベース３３Ａ、３３Ｂには、徒歩や自動車による移動経路を探索するための道路ネットワークデータ３３１Ａ、３３１Ｂと公共交通機関を利用した移動経路を探索するための交通ネットワークデータ３３２Ａ、３３２Ｂが蓄積されている。それぞれの経路探索手段３０７Ａ、３０７Ｂは、この経路探索用ネットワークデータベース３３Ａ、３３Ｂを参照して、徒歩や自動車による経路或いは徒歩と交通機関を併用した経路を探索する。【０１２８】
各道路ネットワークデータ３３１Ａ、３３１Ｂは、以下のように構成されている。例えば、道路が図７に示すように道路Ａ、Ｂ、Ｃからなる場合、道路Ａ、Ｂ、Ｃの端点、交差点、屈曲点等をノードとし、各ノード間を結ぶ道路を有向性のリンクで表し、ノードデータ（ノードの緯度・経度）、リンクデータ（リンク番号）と各リンクのリンクコスト（リンクの距離又はリンクを走行するのに必要な所要時間）をデータとしたリンクコストデータとで構成される。【０１２９】
すなわち、図７において、Ｎｎ（○印）、Ｎｍ（◎印）がノードを示し、Ｎｍ（◎印）は道路の交差点を示している。各ノード間を結ぶ有向性のリンクを矢印線（実線、点線、２点鎖線）で示している。リンクは、道路の上り、下りそれぞれの方向を向いたリンクが存在するが、図７では図示を簡略化するため矢印の向きのリンクのみを図示している。【０１３０】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図７において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。【０１３１】
図７ではノードＡＸからノードＣＹに至る他の経路は図示されていないが、実際にはそのような経路が他にも存在するため、ノードＡＸからノードＣＹに至ることが可能な複数の経路を同様にして探索し、それらの経路のうちリンクコストが最少になる経路を最適経路として決定するものである。これは、例えば、ダイクストラ法と呼ばれる周知の手法によって行われる。【０１３２】
これに対して、交通機関の経路探索のための交通ネットワークデータ３３２Ａ、３３２Ｂは以下のように構成されている。例えば、図８に示すように交通路線Ａ、Ｂ、Ｃからなる場合、各交通路線Ａ、Ｂ、Ｃに設けられた各駅（航空機の路線においては各空港）をノードとし、各ノード間を結ぶ区間を有向性のリンクで表し、ノードデータ（緯度・経度）、リンクデータ（リンク番号）をネットワークデータとしている。図８において、Ｎｎ（○印）、Ｎｍ（◎印）がノードを示し、Ｎｍ（◎印）は交通路線の乗り継ぎ点（乗換え駅等）を示し、各ノード間を結ぶ有向性のリンクを矢印線（実線、点線、２点鎖線）で示している。リンクは、交通路線の上り、下りそれぞれの方向を向いたリンクが存在するが、図８では図示を簡略化するため矢印の向きのリンクのみを図示している。【０１３３】
しかしながら、交通ネットワークは道路ネットワークと比べリンクコストが基本的に異なる。すなわち、道路ネットワークではリンクコストは固定的、静的なものであったが、交通ネットワークでは、図８に示すように交通路線を運行する列車や航空機（以下個々の列車や航空機等の各経路を交通手段と称する）が複数ある。交通手段毎にあるノードを出発する時刻と次のノードに到着する時刻とが定まっており（時刻表データ、運行データで規定される）、かつ、個々の経路が必ずしも隣接するノードにリンクしない場合がある。例えば、急行と各駅停車の列車のような場合である。このような場合には同じ交通路線上に異なる複数のリンクが存在することになり、またノード間の所要時間が交通手段により異なる場合もある。【０１３４】
図８に例示する交通ネットワークにおいては、交通路線Ａの同じリンクに複数の交通手段（経路）Ａａ〜Ａｃ・・・、交通路線Ｃに複数の交通手段（経路）Ｃａ〜Ｃｃ・・・が存在することになる。従って、交通機関の運行ネットワークは、単純な道路ネットワークと異なり、ノード、リンク、リンクコストの各データは交通手段（個々の航空機や列車等の経路）の総数に比例したデータ量になる。このため交通ネットワークのデータは道路ネットワークのデータ量に比べて膨大なデータ量になる。【０１３５】
このような交通ネットワークデータを用いて、ある出発地からある目的地までの経路を探索するためには、出発地から目的地まで到達する際に使用（乗車）できる全ての交通手段を探索して探索条件に合致する交通手段を特定する必要がある。【０１３６】
例えば、図８において、出発地を交通路線ＡのノードＡＸとしてある特定の出発時刻を指定して、交通路線ＣのノードＣＹを目的地とする経路探索を行う場合、交通路線Ａ上を運行する交通手段Ａａ〜Ａｃ・・・のうち出発時刻以降の全ての交通手段を順次出発時の経路として選択する。そして交通路線Ｃへの乗り継ぎノードへの到着時刻に基づいて、交通路線Ｃ上を運行する各交通手段Ｃａ〜Ｃｃ・・・のうち、乗り継ぎノードにおいて乗車可能な時刻以降の交通手段の全ての組み合わせを探索して各経路の所要時間や乗換え回数等を累計して案内することになる。【０１３７】
経路探索サーバ３０Ａ、３０Ｂは、このようなネットワークデータを利用し、経路探索条件に従って出発地から目的地までの複数の候補経路を探索し、その結果を候補経路とする。経路探索条件に出発地の出発時刻が指定されている場合には目的地への到着時刻が、また、目的地への到着時刻が指定されている場合には、目的地に指定時刻に到着するための出発地の出発時刻が案内経路データに含まれる。【０１３８】
次に、本発明の実施例にかかる経路案内システムの動作手順を、図９、図１０に示すフローチャートを参照して詳細に説明する。図９は、図２に示すエリアＡをサービス提供エリアとする経路探索サーバ３０Ａの動作手順を示すフローチャート、図１０は、端末装置２０の動作手順を示すフローチャートである。【０１３９】
経路探索サーバ３０Ａは、ステップＳ１０１で端末装置２０から経路探索、ＰＯＩ検索、地図要求などの処理要求を受信する。エリア判定手段は、ステップＳ１０２で、処理要求に含まれる出発地や目的地などの情報、地図要求においては要求する地図を特定する地点の情報、ＰＯＩ検索においては、ＰＯＩ所在地域などの情報等に基づいて処理に必要なエリアを判別する。前述の例（図２参照）では、出発地ＳがエリアＡに属する地点、目的地ＧがエリアＢに属する地点であるから、エリアＡとエリアＢが処理に関係するエリアであると判定される。【０１４０】
次いで、ステップＳ１０３で、サーバ判定手段３０５Ａは、判定されたエリアをサービス提供エリアとする経路探索サーバ３０Ａ、３０Ｂ等を判定する。図２の例では、サーバ判定手段は、エリアＡをサービス提供エリアとする経路探索サーバ３０Ａと、エリアＢをサービス提供エリアとする経路探索サーバ３０Ｂ１〜３０Ｂ３が処理に必要なサーバであると判定される。次いでサーバ判定手段３０３０５Ａは、ステップＳ１０４で同一エリアに複数の経路探索サーバが存在するか否かを判定する。同一エリアに複数の経路探索サーバが存在しなければ、処理はステップＳ１１０に進み、経路探索サーバ３０Ａは、端末装置２０から要求された処理を実行する。【０１４１】
図２に示す例では、エリアＢには複数の経路探索サーバ３０Ｂ１〜３０Ｂ３が存在するから、判定結果は「ＹＥＳ」となり、ステップＳ１０５でサーバ情報取得手段３０９Ａは、各経路探索サーバ３０Ｂ１〜３０Ｂ３にからそれぞれのサーバ保有データの詳細情報を送信するように要求し、ステップＳ１０６でそれぞれのサーバ保有データの詳細情報を受信する。サーバ保有データの詳細情報を受信すると、サーバ評価手段３０は、ステップＳ１０７で各経路探索サーバ３０Ｂ１〜３０Ｂ３の評価値を算出し、サーバ名と評価値をサーバ選択情報として端末装置２０に送信する。評価値の算出方法は先に説明した通りである。経路探索サーバ３０Ａは、サーバ選択情報を送信すると、端末装置２０におけるサーバ選択を待つ。端末装置２０は図６に示すサーバ選択画面を表示してユーザによるサーバ選択を行わせる。【０１４２】
ステップＳ１０８で、経路探索サーバ３０Ａは端末装置２０から選択サーバ情報を受信する。ステップＳ１０９で端末装置２０においてサーバが選択されたか否かを判定する。サーバが選択されていなければ、経路探索サーバ３０Ａはステップ１１０でサーバ自動選択をおこなう。サーバ自動選択では、最も評価値の高いサーバ（図６の例では、経路探索サーバ３０Ｂ３）を選択する。一方、サーバが選択されていれば、ステップＳ１１１の処理に進み、経路探索サーバ３０Ａは選択されたサーバを用いて、ステップＳ１０１で受信した端末装置２０の処理要求に基づく処理を行う。【０１４３】
一方、端末装置２０の処理手順は図１０に示されている。先ず端末装置２０は操作入力手段２０７、ＰＯＩ検索手段２０８、表示手段２０６に表示されるメニュー画面等を用いて、経路探索、ＰＯＩ検索、地図要求などの処理要求に必要な所要の条件を設定する。設定された条件に基づいて、処理要求手段２０２は、ステップＳ２０１の処理で経路探索サーバ３０Ａに処理要求を送信し、端末装置２０は、経路探索サーバ３０Ａからの応答を待つ。端末装置２０は、ステップＳ２０２で経路探索サーバ３０Ａからのサーバ情報（サーバ名、サーバの評価値）を受信すると、ステップＳ２０３で、表示手段２０６にサーバ選択画面（図６参照）を表示する。【０１４４】
ステップＳ２０４で、端末装置２０はサーバ選択画面においてサーバ選択の指示がされたか否かを判定する。サーバ選択指示がされた場合にはステップＳ２０５の処理でサーバ選択指示によるサーバの選択を確定し、端末装置２０は、ステップＳ２０６で経路探索サーバ３０Ａに選択サーバ情報を送信して処理を終了し、この後は、経路探索サーバ３０Ａに送信した処理要求の手順に移る。一方、所定の時間サーバ選択指示がなければ端末装置２０は処理を終了し、この後は、経路探索サーバ３０Ａに送信した処理要求の手順に移る。【０１４５】
なお、以上の説明は、端末装置２０が経路探索サーバ３０Ａに送信した処理要求がエリアＢを対象とした処理が必要な要求（例えば、出発地がエリアＡに属し、目的地がエリアＢに属する経路探索要求）であり、エリアＢ内に複数の経路探索サーバ３０Ｂ１〜３０Ｂ３が存在する場合を例にした説明であったが、本発明はこれに限られるものではない。端末装置２０がエリアＡをサービス提供エリアとする経路探索サーバ３０Ａに送信した処理要求がエリアＡを対象とした処理が必要な要求（例えば、エリアＡ内の所望カテゴリのＰＯＩ検索要求）であり、エリアＡ内に経路探索サーバ３０Ａ以外にも他の経路探索サーバがあるような場合においても適用することができる。【０１４６】
その場合、端末装置２０から処理要求を受信した経路探索サーバ３０Ａが、エリアＡ内の他のサーバの有無を判定し、他のサーバが存在する場合、それらのサーバからサーバ保有データの詳細情報を取得し、経路探索サーハ３０Ａ自身を含め、各サーバの評価値を算出して端末装置２０にサーバ選択させるようにすればよい。端末装置２０において他のサーバが選択された場合、端末装置２０は選択された他のサーバに処理要求を改めて送信し、経路探索サーバ３０Ａは処理を終了する。経路探索サーバ３０Ａから端末装置２０の処理要求を選択された他のサーバに転送する構成としてもよい。
【実施例２】
【０１４７】
以上説明した経路案内システムは、各エリアにサービスを提供する経路探索サーバが連携して処理する例であるが、経路案内仲介サーバを介して同様の処理を行うこともできる。図１１は、実施例２にかかる経路案内システム１０において設けられる経路案内仲介サーバ６０の構成を示すブロック図である。【０１４８】
図１１に示す経路案内仲介サーバ６０は、図１に示す経路案内システム１０にネットワークを介して接続され、各経路探索サーバ３０Ａ、３０Ｂ等から経路探索仲介要求を受け、経路探索、経路案内に必要な経路探索サーバを特定し、経路探索要求などの処理要求を仲介し、経路探索の結果を要求元に提供する。ここでは、図２、図５を参照して説明した経路探索サーバ３０Ａと経路探索サーバ３０Ｂ等との間の処理を、経路案内仲介サーバ６０を介して実行する場合を例にとり、経路案内仲介サーバ６０の動作を説明する。また、以下の説明においては、実施例１と同様に、端末装置２０からエリアＡの経路探索サーバ３０Ａに、エリアＡに属する出発地ＳとエリアＢに属する目的地Ｇとを設定した経路探索要求（処理要求）を送信した場合を例に説明する。【０１４９】
図１１に示すように、経路案内仲介サーバ６０は、制御手段６１、通信手段６２、処理要求記憶手段６３、サーバ判定手段６４、候補接点抽出手段６５、エリア判定手段６６、ユーザ情報記憶手段６７、サーバ情報取得手段６８、サーバ評価手段６９などを備えて構成される。制御手段６１は、図示しないマイクロプロセッサ、ＲＯＭ、ＲＡＭを備え、各部の動作を制御する。通信手段６２は、ネットワークを介して第１の経路探索サーバ３０Ａや第２の経路探索サーバ３０Ｂ等と情報を送受信するためのインターフェースである。【０１５０】
以下の説明においては、端末装置２０がエリアＡ内の地点を出発地Ｓとし、エリアＥ内の地点を目的地Ｇとする経路探索条件を設定して出発地Ｓ側の経路探索サーバ３０Ａに経由エリアを考慮した経路探索を依頼し、経路探索サーバ３０Ａが経路案内仲介サーバ６０に経路探索、経路案内の仲介要求をする場合を例に説明する。【０１５１】
初めに、端末装置２０が経路探索、ＰＯＩ検索、地図要求などの処理要求を経路探索サーバ３０Ａに送信する。経路探索サーバ３０Ａはこの処理要求を受信すると、経路案内仲介サーバ６０に送信する。経路案内仲介サーバ６０は、エリア判定手段６６によって、処理要求に含まれる情報に基づいて、処理に必要なエリアを判別する。処理要求が経路探索サーバ３０Ａのサービス提供エリアＡの範囲内を対象とするものであれば、他のエリアを考慮する必要はない。処理要求が他のエリアの範囲内を対象として含んでいる場合には、対象のエリアを判定する。エリアの判定は処理要求に含まれる情報、例えば、経路探索要求においては、出発地や目的地などの情報、地図要求においては要求する地図を特定する地点の情報、ＰＯＩ検索においては、ＰＯＩ所在地域などの情報に基づいて行うことができる。【０１５２】
処理要求の対象エリアが判定されると、サーバ判定手段６４Ａは、そのエリアをサービス提供エリアとする経路探索サーバ３０Ａ、３０Ｂ等を判定するとともに、同一エリアに複数の経路探索サーバが存在するか否かを判定する。ここでは、端末装置２０からの処理要求が経路探索要求であり、出発地ＳがエリアＡに属する地点、目的地ＧがエリアＢに属する地点であり、エリアＢには複数の経路探索サーバ３０Ｂ１〜３０Ｂ３が存在する場合（図２参照）について説明する。【０１５３】
サーバ判定手段６４によりエリアＢの複数の経路探索サーバ３０Ｂ１〜３０Ｂ３が判定されると、サーバ情報取得手段６８は、それぞれの経路探索サーバ３０Ｂ１〜３０Ｂ３からサーバ名、サーバ保有データの詳細情報を取得する。サーバ情報取得手段６８が各経路探索サーバ３０Ｂ１〜３０Ｂ３からサーバ保有データの詳細情報を取得すると、サーバ評価手段６９は、サーバ保有データの詳細情報に基づいて各サーバの評価値を算出し、評価値に応じてサーバをランク付けする。評価値の算出サーバのランク付けについては実施例１において説明したと同様の手順による。【０１５４】
各経路探索サーバ３０Ｂ１〜３０Ｂ３の評価が完了すると、経路案内仲介サーバ６０は、経路探索サーバ３０Ａにサーバ名とサーバ保有データの評価値からなるサーバ情報を送信する。経路探索サーバ３０Ａは経路案内仲介サーバ６０から受信したサーバ情報を端末装置２０に送信する。サーバ情報を受信した端末装置２０は、実施例１で説明したと同様のサーバ選択画面を表示し、ユーザに所望のサーバを選択させる。ここでは、経路探索サーバ３０Ｂ３が選択されたものとする。経路探索サーバ３０Ａは端末装置２０からサーバ選択情報を受信し、選択された経路探索サーバ３０Ｂ３の情報を経路案内仲介サーバ６０に送信する。【０１５５】
また、経路探索サーバ３０Ａは、サーバ選択情報を経路案内仲介サーバ６０に送信する際に、端末装置２０から出発地Ｓ、目的地Ｇを含む経路探索条件に基づいて、該経路探索条件に含まれる目的地Ｇが自エリア内であるエリアＡに存在する地点情報か否かを判定する。【０１５６】
目的地Ｇが自エリア内の地点情報であると判定した場合には、経路探索サーバ３０Ａは通常の経路探索を行い、得られた候補経路に関して推奨経路（最適経路）を決定し、それに基づいて経路案内データを編集し、経路情報、経路案内情報を端末装置２０へ送信する。端末装置２０は、経路探索サーバ３０Ａから受信した経路情報、経路案内情報を表示手段に表示する。この場合の処理は経路探索サーバ３０Ａのみで完結するから経路案内仲介サーバ６０に処理の仲介を依頼する必要はない。【０１５７】
一方、目的地が自エリア内の地点情報ではないと判定した場合には、候補接点抽出手段３０６Ａが自エリア内の全ての候補接点を抽出し、経路探索手段３０７Ａが抽出された候補接点に基づいて出発地Ｓから各候補接点までの経路探索を行う。経路探索によって得られた所定数の候補経路と候補経路に関する所要時間とを含む候補経路情報を、目的地Ｇの情報（目的地Ｇの位置情報）および候補接点の情報とともに経路探索仲介要求として通信手段３０２Ａを介して経路探索仲介サーバ６０へ送信する。その際、前述の処理によって選択されたサーバ情報、ここでは経路探索サーバ３０Ｂ３の情報を経路案内仲介サーバ６０に送信する。【０１５８】
経路探索仲介サーバ６０は、経路探索サーバ３０Ａから受信した目的地、候補接点、候補経路の情報等を含む経路探索仲介要求（処理要求）を処理要求記憶手段６３に記憶し、また、処理要求記憶手段６３には、端末装置２０のＩＤも前記経路探索仲介要求とともに記憶する。エリア判定手段６６は前述野処理において目的地Ｇがどのサービス提供エリアに属するかを判定済であり、また、当該エリアの経路探索サーバ３０Ｂ３は端末装置２０によって選択済である。候補接点抽出手段６５は接点情報のデータベースを備えており、エリア判定手段６６が判定した目的地Ｇの属するエリアＢと経路探索サーバ３０Ａのエリアとに基づいて、エリアＡとエリアＢとを接続する候補接点（図２、Ｐ１〜Ｐ３）を抽出する。【０１５９】
続いて、経路探索仲介サーバ６０は、経路探索サーバ３０Ｂ３へ、抽出された各候補接点までのエリアＡ側の経路情報（経路探索サーバ３０Ａが探索した出発地ＳからエリアＡ内の該当各候補接点までの最適経路の情報）と、目的地Ｇの地点情報とを送信する。経路探索サーバ３０Ｂ３では、受信した候補経路情報と、目的地Ｇ１の地点情報とに基づいて、経路探索手段は、候補経路情報に含まれる各候補接点（図２、Ｐ１〜Ｐ３）から目的地Ｇ１までの最適経路を探索し、候補経路とする。経路探索の結果として得られた各候補経路と、経路探索仲介サーバ６０から受信した候補経路情報（出発地Ｓから候補接点Ｐ１〜Ｐ３までの候補経路の所要時間）に基づいて、推奨経路決定手段が所要時間の合計が最小になる推奨経路（最適経路）を決定する。【０１６０】
経路探索サーバ３０Ｂは、エリアＢ内における候補経路Ｐ２Ｇの経路データに基づいて経路案内情報を作成し、端末装置２０がこの経路案内情報にアクセスするためのリンク情報を作成する。作成されたリンク情報は、候補経路ＳＰ２と候補経路Ｐ２Ｇで構成される経路が推奨経路であることを示す情報とともに経路探索仲介サーバ６０に送信する。経路探索仲介サーバ６０はこの情報を要求元の経路探索サーバ３０に送信し、経路探索サーバ３０はこれらの情報を端末装置２０に送信する。【０１６１】
端末装置２０は、このようにして経路探索サーバ３０Ａから推奨経路の情報、エリアＡ内の経路案内情報および該経路案内情報にリンクするためのリンク情報、エリアＢ内の経路案内情報および該経路案内情報にリンクするためのリンク情報を受信すると、端末装置２０は、リンク情報に基づいて、それぞれのエリアにおいて経路案内情報にアクセスして、経路探索サーバ３０Ａ、経路探索サーバ３０Ｂに経路案内を要求する。【０１６２】
なお、出発地Ｓが属するエリアと目的地Ｇが属するエリアが異なり、目的地Ｇが属するエリアをサービス提供エリアとする経路探索サーバ（例えば、図２における経路探索サーバ３０Ｂ）にエリアＢ内の候補経路の探索を依頼する場合に、出発地Ｓが属するエリアをサービス提供エリアとする経路探索サーバ（例えば、図２における経路探索サーバ３０Ａ）が用いるナビゲーション処理のアプリケーションプログラムがそれぞれ異なるアプリケーションである場合が生じる。【０１６３】
その場合、経路探索サーバ３０Ａがエリア判定およびサーバ判定を行い、それに基づいてサーバ情報を取得する際に、エリアＢの経路探索サーバ３０Ｂが使用しているナビゲーションアプリケーションに関する情報を取得し、経路探索サーバ３０Ａのアプリケーションと一致するか否かを判定するように構成すればよい。そしてナビゲーションアプリケーションが一致しない時は、経路探索サーバ３０Ａは経路探索サーバ３０Ｂから、経路探索サーバ３０Ｂにおいて用いられるナビゲーションアプリケーションをダウンロードし、端末装置２０にそのアプリケーションを送信しておくとよい。【０１６４】
端末装置２０が経路探索サーバ３０Ｂが使用しているアプリケーションを予め取得しておけば、端末装置２０がエリアＡ内に位置している時は経路探索サーバ３０Ａに経路案内を要求してエリアＡ内の推奨経路部分の経路案内を受け、端末装置２０がエリア間を移動してエリアＢ内に位置する時は、経路探索サーバ３０Ｂに経路案内を要求してエリアＢ内の推奨経路部分の経路案内を受けることができるようになる。【０１６５】
また、このようにナビゲーションアプリケーションが異なる時に、経路探索サーバ３０Ｂから取得したアプリケーションを予め端末装置２０に送信しておけば、端末装置２０がエリアＢにおいてローミングができない場合であっても、端末装置２０はエリアＡ内において予め経路探索サーバ３０Ｂが使用するナビゲーションアプリケーションを取得することができる。端末装置２０がエリアＢ内においてローミング可能な場合には、端末装置２０がエリアＢに移動した後であっても経路探索サーバ３０Ｂが使用するナビゲーションアプリケーションを取得することができる。従って、経路探索サーバ３０Ａはエリア判定手段が判定したエリア（ここでは、エリアＢ）において端末装置２０がローミング可能であるか否かを判定して、上記アプリケーションのダウンロード可否を判断すればよい。【０１６６】
かかる処理は、実施例１において実施できるのは勿論のこと、実施例２のように経路案内仲介サーバ６０を用いた経路案内システムにおいても実行することができる。その場合は経路案内仲介サーバのエリア判定手段６６、サーバ判定６４において、経路探索サーバ３０Ａに処理要求を送信してきた端末装置２０がエリアＢにおいてローミング可能であるか否か、経路探索サーバ３０Ａのナビゲーションアプリケーションと経路探索サーバ３０Ｂ等のナビゲーションアプリケーションが一致するか否かを判定するように構成すればよい。
【産業上の利用可能性】
【０１６７】
以上、詳細に説明したように、本発明にかかる経路案内システムによれば、所定のエリア内における経路探索や経路案内、地図情報、興味対象場所（ＰＯＩ）情報案内などの経路案内サービスを提供する経路案内システムに好適に適用でき、国や地域ごとのエリア毎に該エリア内に経路案内サービスを提供するシステムが存在し、所定のエリア内に複数の経路案内サーバがそれぞれ異なるレベルの情報を蓄積している場合に、所望のエリアに関する経路案内サービスを要求する端末装置が、要求に応じて適切な経路案内サーバを選択することができるようになる。
【符号の説明】
【０１６８】
１０    経路案内システム
２０    端末装置
３０Ａ、３０Ｂ１〜３０Ｂ３    経路案内サーバ（経路探索サーバ）
３２    地図データベース
３３    経路探索用ネットワークデータベース
３４    ＰＯＩ情報データベース
３０１    制御手段
３０２    通信手段
３０３    処理要求記憶手段
３０４    エリア判定手段
３０５    サーバ判定手段
３０６    候補接点抽出手段
３０７    経路探索手段
３０８    案内情報編集手段
３０９    サーバ情報取得手段
３１１    サーバ評価手段
３１２    候補経路結合手段
３１３    推奨経路決定手段
３１４    経路記憶手段
【図１】
2011016117.tif 000003
【図２】
2011016117.tif 000004
【図３】
2011016117.tif 000005
【図４】
2011016117.tif 000006
【図５】
2011016117.tif 000007
【図６】
2011016117.tif 000008
【図７】
2011016117.tif 000009
【図８】
2011016117.tif 000010
【図９】
2011016117.tif 000011
【図１０】
2011016117.tif 000012
【図１１】
2011016117.tif 000013
【図１２】
2011016117.tif 000014
【手続補正書】
【提出日】平成21年11月19日(2009.11.19)
【手続補正１】
【補正対象書類名】特許請求の範囲
【補正対象項目名】請求項１
【補正方法】変更
【補正の内容】
【請求項１】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記サーバ保有データを参照して前記要求された処理を実行する経路案内システムにおいて、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択することを特徴とする経路案内システム。
【手続補正２】
【補正対象書類名】特許請求の範囲
【補正対象項目名】請求項６
【補正方法】変更
【補正の内容】
【請求項６】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記サーバ保有データを参照して前記要求された処理を実行する経路案内システムを構成する経路案内サーバにおいて、
前記端末装置は、前記経路案内サーバから受信したサーバ情報に基づいてサーバ選択手段により前記複数の経路案内サーバの１つを選択する端末装置であって、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする経路案内サーバ。
【手続補正３】
【補正対象書類名】特許請求の範囲
【補正対象項目名】請求項１１
【補正方法】変更
【補正の内容】
【請求項１１】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記サーバ保有データを参照して前記要求された処理を実行する経路案内システムにおける経路案内方法において、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択することを特徴とする経路案内方法。
【手続補正４】
【補正対象書類名】特許請求の範囲
【補正対象項目名】請求項１６
【補正方法】変更
【補正の内容】
【請求項１６】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記サーバ保有データを参照して前記要求された処理を実行する経路案内システムにおいて、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする経路案内システム。
【手続補正５】
【補正対象書類名】特許請求の範囲
【補正対象項目名】請求項２１
【補正方法】変更
【補正の内容】
【請求項２１】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記サーバ保有データを参照して前記要求された処理を実行する経路案内システムにおける前記経路案内仲介サーバにおいて、
前記端末装置は前記経路案内サーバから受信したサーバ情報に基づいて前記複数の経路案内サーバの１つを選択するサーバ選択手段を備え、
前記経路案内サーバはサーバ評価手段を備え、経路案内仲介サーバから取得したサーバ情報に基づいて、前記サーバ評価手段により、各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信する経路案内サーバであって、
前記経路案内仲介サーバは、エリア判定手段と、サーバ判定手段と、サーバ情報取得手段と、を備え、前記経路案内サーバはサーバ評価手段を備え、
前記経路案内仲介サーバが前記端末装置から処理要求を受信した前記経路案内サーバから処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信することを特徴とする経路案内仲介サーバ。
【手続補正６】
【補正対象書類名】特許請求の範囲
【補正対象項目名】請求項２６
【補正方法】変更
【補正の内容】
【請求項２６】
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記サーバ保有データを参照して前記要求された処理を実行する経路案内システムにおける経路案内方法において、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする経路案内方法。
【手続補正７】
【補正対象書類名】明細書
【補正対象項目名】００２７
【補正方法】変更
【補正の内容】
【００２７】
前記課題を解決するために、本願の第１発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記サーバ保有データを参照して前記要求された処理を実行する経路案内システムにおいて、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択することを特徴とする。
【手続補正８】
【補正対象書類名】明細書
【補正対象項目名】００３２
【補正方法】変更
【補正の内容】
【００３２】
また、本願の第２発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記サーバ保有データを参照して前記要求された処理を実行する経路案内システムを構成する経路案内サーバにおいて、
前記端末装置は、前記経路案内サーバから受信したサーバ情報に基づいてサーバ選択手段により前記複数の経路案内サーバの１つを選択する端末装置であって、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする。
【手続補正９】
【補正対象書類名】明細書
【補正対象項目名】００３７
【補正方法】変更
【補正の内容】
【００３７】
また、本願の第３発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置とから構成され、各々の経路探索サーバが相互に連携して前記端末装置から要求された処理要求に基づいて、前記サーバ保有データを参照して前記要求された処理を実行する経路案内システムにおける経路案内方法において、
前記経路案内サーバは、エリア判定手段と、サーバ判定手段と、サーバ情報取得手段と、サーバ評価手段と、を備え、前記端末装置は前記経路案内サーバから受信したサーバ情報に基づいて前記複数の経路案内サーバの１つを選択するサーバ選択手段を備え、
前記端末装置から処理要求を受信した前記経路案内サーバは、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得し、前記サーバ評価手段は、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信し、
前記端末装置は、前記経路案内サーバから受信した前記サーバ情報に基づいて前記サーバ選択手段により前記複数の経路案内サーバの１つを選択することを特徴とする。
【手続補正１０】
【補正対象書類名】明細書
【補正対象項目名】００４２
【補正方法】変更
【補正の内容】
【００４２】
また、本願の第４発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記サーバ保有データを参照して前記要求された処理を実行する経路案内システムにおいて、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする。
【手続補正１１】
【補正対象書類名】明細書
【補正対象項目名】００４７
【補正方法】変更
【補正の内容】
【００４７】
また、本願の第５発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記サーバ保有データを参照して前記要求された処理を実行する経路案内システムにおける前記経路案内仲介サーバにおいて、
前記端末装置は前記経路案内サーバから受信したサーバ情報に基づいて前記複数の経路案内サーバの１つを選択するサーバ選択手段を備え、
前記経路案内サーバはサーバ評価手段を備え、経路案内仲介サーバから取得したサーバ情報に基づいて、前記サーバ評価手段により、各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信する経路案内サーバであって、
前記経路案内仲介サーバは、エリア判定手段と、サーバ判定手段と、サーバ情報取得手段と、を備え、前記経路案内サーバはサーバ評価手段を備え、
前記経路案内仲介サーバが前記端末装置から処理要求を受信した前記経路案内サーバから処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信することを特徴とする。
【手続補正１２】
【補正対象書類名】明細書
【補正対象項目名】００５２
【補正方法】変更
【補正の内容】
【００５２】
また、本願の第６発明は、
所定のエリアをサービス提供エリアとし、前記所定のエリア内の地図データと、経路探索用の該エリアの道路ネットワークデータおよび交通ネットワークデータと、ＰＯＩデータと、をサーバ保有データとする経路案内サーバと、前記経路案内サーバにネットワークを介して接続される端末装置と、前記経路案内サーバにネットワークを介して接続される経路案内仲介サーバとから構成され、前記経路案内仲介サーバを介して各々の経路探索サーバが相互に連携して前記端末装置から要求された処理要求に基づいて、前記サーバ保有データを参照して前記要求された処理を実行する経路案内システムにおける経路案内方法において、
前記端末装置は前記経路案内サーバから受信したサーバ情報に基づいて前記複数の経路案内サーバの１つを選択するサーバ選択手段を備え、
前記経路案内仲介サーバは、エリア判定手段と、サーバ判定手段と、サーバ情報取得手段と、を備え、前記経路案内サーバはサーバ評価手段を備え、
前記端末装置から処理要求を受信した前記経路案内サーバから前記経路案内仲介サーバが処理要求を受信すると、該処理要求の処理対象となるエリアを前記エリア判定手段により判定し、前記サーバ判定手段は該エリア判定手段が判定したエリアをサービス提供手段とする経路案内サーバを判定し、同一エリアをサービス提供エリアとする経路案内サーバが複数存在する場合、前記サーバ情報取得手段は、該当する複数の経路案内サーバから前記サーバ保有データの詳細情報を取得して前記経路案内サーバに送信し、前記経路探索サーバは前記サーバ評価手段により、前記詳細情報に基づいて各経路案内サーバのサーバ保有データの充実度、情報数、更新日付の新しさの何れか１つまたは複数に応じて所定の段階付けを表す数値を評価値とし、その合計により各経路案内サーバの評価値を算出し、前記端末装置に前記評価値を含むサーバ情報を送信することを特徴とする。
【国際調査報告】
2011016117.tif 000015
2011016117.tif 000016
2011016117.tif 000017
2011016117.tif 000018